(57)【特許請求の範囲】
【請求項１】
ＲＦ帯のＯＦＤＭ信号を受信及び前処理してベースバンドＯＦＤＭ信号を生成するＲＦ処理部と、前記ベースバンドＯＦＤＭ信号に多重されたパイロット信号に基づき該ベースバンドＯＦＤＭ信号に重畳された歪み成分を補償する歪み補償部と、該歪み補償されたＯＦＤＭ信号をＯＦＤＭ復調する復調部とを備えるＯＦＤＭ受信装置において、前記歪み補償部は、
前記ベースバンドＯＦＤＭ信号をフィルタに通してＯＦＤＭ主信号成分を抽出するＯＦＤＭ主信号成分抽出部と、
前記ベースバンドＯＦＤＭ信号を離散フーリェ変換して周波数成分信号に変換し、そのうちの前記パイロット信号の周波数成分を取り出して該周波数成分を周波数０の位置に再配置すると共に、該再配置したパイロット信号成分をフーリェ逆変換して時間信号に変換し、既知のパイロット信号に基づき前記時間信号に変換したパイロット信号に重畳されている歪み成分を補償するための歪み補償信号を生成する歪み補償信号生成部と、
前記抽出したＯＦＤＭ主信号成分に重畳された歪み成分を前記生成した歪み補償信号によりキャンセルする歪みキャンセル部とを備えること特徴とするＯＦＤＭ受信装置。
【請求項２】
ＲＦ帯のＯＦＤＭ信号を受信及び前処理してベースバンドＯＦＤＭ信号を生成するＲＦ処理部と、前記ベースバンドＯＦＤＭ信号に多重されたパイロット信号に基づき該ベースバンドＯＦＤＭ信号に重畳された歪み成分を補償する歪み補償部と、該歪み補償されたＯＦＤＭ信号をＯＦＤＭ復調する復調部とを備えるＯＦＤＭ受信装置において、前記歪み補償部は、
前記ベースバンドＯＦＤＭ信号を離散フーリェ変換して周波数成分信号に変換するフーリェ変換部と、
前記変換した周波数成分信号のうちのＯＦＤＭ主信号に係る部分を取り出して離散フーリェ逆変換により時間信号に変換するＯＦＤＭ主信号成分抽出部と、
前記変換した周波数成分信号のうちのパイロット信号に係る部分を取り出して該パイロット信号成分を周波数０の位置に再配置すると共に、該再配置したパイロット信号成分をフーリェ逆変換により時間信号に変換し、既知のパイロット信号に基づき前記時間信号に変換したパイロット信号に重畳されている歪み成分を補償するための歪み補償信号を生成する歪み補償信号生成部と、
前記抽出したＯＦＤＭ主信号成分に重畳された歪み成分を前記生成した歪み補償信号によりキャンセルする歪みキャンセル部とを備えること特徴とするＯＦＤＭ受信装置。
【請求項３】
ＲＦ帯のＯＦＤＭ信号を受信及び前処理してベースバンドＯＦＤＭ信号を生成するＲＦ処理部と、前記ベースバンドＯＦＤＭ信号に多重されたパイロット信号に基づき該ベースバンドＯＦＤＭ信号に重畳された歪み成分を補償する歪み補償部と、該歪み補償されたＯＦＤＭ信号をＯＦＤＭ復調する復調部とを備えるＯＦＤＭ受信装置において、前記歪み補償部は、
前記ベースバンドＯＦＤＭ信号を第１のフィルタに通してＯＦＤＭ主信号成分を抽出するＯＦＤＭ主信号成分抽出部と、
前記ベースバンドＯＦＤＭ信号を第２のフィルタに通してパイロット信号に係る成分を抽出し、該抽出したパイロット信号成分が周波数０の位置にくるまで該パイロット信号成分を周波数変換すると共に、既知のパイロット信号に基づき前記周波数変換したパイロット信号に重畳されている歪み成分を補償するための歪み補償信号を生成する歪み補償信号生成部と、
前記抽出したＯＦＤＭ主信号成分に重畳された歪み成分を前記生成した歪み補償信号によりキャンセルする歪みキャンセル部とを備えること特徴とするＯＦＤＭ受信装置。
【請求項４】
ＲＦ帯のＯＦＤＭ信号を受信及び前処理してベースバンドＯＦＤＭ信号を生成するＲＦ処理部と、前記ベースバンドＯＦＤＭ信号に多重されたパイロット信号に基づき該ベースバンドＯＦＤＭ信号に重畳された歪み成分を補償する歪み補償部と、該歪み補償されたＯＦＤＭ信号をＯＦＤＭ復調する復調部とを備えるＯＦＤＭ受信装置において、前記歪み補償部は、
前記ベースバンドＯＦＤＭ信号を第１のフィルタに通してＯＦＤＭ主信号成分を抽出するＯＦＤＭ主信号成分抽出部と、
前記ベースバンドＯＦＤＭ信号に含まれるパイロット信号成分が周波数０の位置にくるまで該ベースバンドＯＦＤＭ信号を周波数変換し、該周波数変換した信号を第２のフィルタに通してパイロット信号に係る成分を抽出すると共に、既知のパイロット信号に基づき前記抽出したパイロット信号に重畳されている歪み成分を補償するための歪み補償信号を生成する歪み補償信号生成部と、
前記抽出したＯＦＤＭ主信号成分に重畳された歪み成分を前記生成した歪み補償信号によりキャンセルする歪みキャンセル部とを備えること特徴とするＯＦＤＭ受信装置。
【請求項５】
ＲＦ帯のＯＦＤＭ信号を受信及び前処理してベースバンドＯＦＤＭ信号を生成し、前記ベースバンドＯＦＤＭ信号に多重されたパイロット信号に基づき該ベースバンドＯＦＤＭ信号に重畳された歪み成分を補償し、該歪み補償されたＯＦＤＭ信号をＯＦＤＭ復調するＯＦＤＭ受信方法において、
前記歪み補償部は、
前記ベースバンドＯＦＤＭ信号をフィルタに通してＯＦＤＭ主信号成分を抽出し、
前記ベースバンドＯＦＤＭ信号を離散フーリェ変換して周波数成分信号に変換し、そのうちの前記パイロット信号の周波数成分を取り出して該周波数成分を周波数０の位置に再配置すると共に、該再配置したパイロット信号成分をフーリェ逆変換して時間信号に変換し、既知のパイロット信号に基づき前記時間信号に変換したパイロット信号に重畳されている歪み成分を補償するための歪み補償信号を生成し、
前記抽出したＯＦＤＭ主信号成分に重畳された歪み成分を前記生成した歪み補償信号によりキャンセルする
こと特徴とするＯＦＤＭ受信方法。
【発明の詳細な説明】
【技術分野】
【０００１】
本発明はＯＦＤＭ受信装置及びＯＦＤＭ受信方法に関する。特に、ＲＦ帯のＯＦＤＭ信号を受信及び前処理してベースバンドＯＦＤＭ信号を生成するＲＦ処理部と、前記ベースバンドＯＦＤＭ信号に多重されたパイロット信号に基づき該ベースバンドＯＦＤＭ信号に重畳された歪み成分を補償する歪み補償部と、該歪み補償されたＯＦＤＭ信号をＯＦＤＭ復調する復調部とを備えるＯＦＤＭ受信装置及びＯＦＤＭ受信方法に適用して好適である。
【背景技術】
【０００２】
ＯＦＤＭ通信方式は無線ＬＡＮシステム（ＩＥＥＥ８０２．１１ａ）や地上波ディジタル放送で使用されており、更に、家庭内ホームネットワークに向けての無線通信システムとして、ミリ波帯においてＯＦＤＭ方式を用いた高速伝送の技術開発が進められている。現状では１０ＧＨｚ以下の周波数が逼迫していることから、将来はミリ波帯の一般利用に向けて大きな期待がなされている。
【０００３】
ＯＦＤＭ通信はマルチキャリアを用いて情報を伝送する技術であり、多数のサブキャリアにガードタイムを設けて伝送するため、マルチパス環境におけるフェージングの影響を受けにくいという特徴を有する。一方、ＯＦＤＭ通信では、受信復調の際にサブキャリア間の直交性が崩れると、受信誤り率が大幅に劣化する。マルチパスによるパス遅延はガードタイムを設けることである程度防げるが、搬送波ｆｃの周波数が想定以上にずれた場合には、受信誤り率に大きな影響が生じる。以下、詳細に説明する。
【０００４】
図１０は従来技術を説明する図で、ＯＦＤＭ通信装置の基本的な構成を示している。図１０（Ａ）はＯＦＤＭ送信装置のブロック図で、該ＯＦＤＭ送信装置は、ＯＦＤＭ変調部１０と、ＲＦ増幅部２０とから構成される。図において、送信Ｉ，Ｑデータをシンボルマッパ１１で各サブキャリアを変調するためのＮ個の複素シンボル列に変換すると共に、該変換した複素シンボル列を直並列変換器（Ｓ／Ｐ）１２で並列信号に変換し、更に離散フーリェ逆変換部（ＩＦＦＴ）１３により一括逆フーリェ変換して、Ｎ個のＯＤＦＭシンボル標本値を生成する。更に、該生成したＮ個のＯＤＦＭシンボル標本値を並直列変換部（Ｐ／Ｓ）１４で直列（時間）信号に変換し、複素ベースバンドＯＦＤＭ信号を生成すると共に、そ出力を実数化部（ＲＥ）１５で実数化し、ＲＦ増幅部２０に加える。ＲＦ増幅部２０では、複素ベースバンドＯＦＤＭ信号の実部に搬送波（ｆｃ）を掛け合わせてその出力をＢＰＦ２３に通し、ＲＦ帯域ＯＦＤＭ信号を生成する。これをＲＦアンプ（ＲＦＡ）２４で増幅し、アンテナより送信する。
【０００５】
図１０（Ｂ）はＯＤＭ受信装置のブロック図で、該ＯＤＭ受信装置はＲＦフロントエンド部（ＲＦＦＥ）３０と、ＯＦＤＭ復調部４０とから構成される。図において、アンテナで受信したＲＦ帯域のＯＦＤＭ信号を低雑音アンプ（ＬＮＡ）３１で増幅して後、Ｉ，Ｑ信号成分に分離及びミキサ３４ａ，３４ｂで周波数をダウンコンバートして複素ベースバンドＯＦＤＭ信号に変換し、これを標本化部３５で標本化して複素信号列を生成する。更に、この複素信号列を直並列変換部（Ｓ／Ｐ）４１でＮ個の並列信号に変換し、該変換したＮ個の標本値に対して離散フーリェ変換（ＦＦＴ）を行うことにより、各サブキャリアを変調している複素シンボル列を抽出する。該抽出した複素シンボル列を並直列変換部（Ｐ／Ｓ）４３で直列信号系列に変換し、これらをデータ判定部４４で判定することにより受信データを復調する。
【０００６】
このように、ＯＦＤＭ通信では送信側でローカル発振器（ｆｃ）２１によりアップコン
バートしたＲＦ帯域のＯＦＤＭ信号を、受信側独自のローカル発振器（ｆｃ）３２によりダウンコンバートしてＯＦＤＭ復調するため、ローカル発振器２１／３２の発振精度や同期回路の同期性能が十分ではなかったり、あるいは通信装置の移動に伴うドップラー効果によって両周波数ｆｃ間に誤差（位相雑音）が生じる。
【０００７】
このような位相雑音は全てのサブキャリアに一様に重畳する結果、全サブキャリア間でサブキャリア間干渉（ＩＣＩ：Inter Carrier Interference）を引き起こされ、この場合の復調シンボルは、希望するシンボルのみならず、同一のＯＦＤＭシンボル内のその他のすべてのサブキャリアで伝送されるシンボルからの干渉を受けることになる。
【０００８】
なお、従来は、既知の振幅・位相特性を有するパイロット信号を利用して位相雑音をキャンセルする場合に、受信ＩＦ信号の受信レベルに応じて最適なＣ／Ｎのパイロット信号を抽出すべくパイロット信号抽出フィルタの通過帯域幅を適応的に変化させる伝送信号処理装置が知られている（特許文献１）。
【特許文献１】特開２００６−１４０６０８
【特許文献２】特開２００２−１５２１５８
【発明の開示】
【発明が解決しようとする課題】
【０００９】
本発明は上記従来技術の問題点に鑑みなされたもので、その目的は、簡単な構成により送受間の周波数偏差に基づく受信ＯＦＤＭ信号の歪みを有効にキャンセル可能なＯＦＤＭ受信装置及びＯＦＤＭ受信方法を提供することにある。
【課題を解決するための手段】
【００１０】
本発明の第１の態様によるＯＦＤＭ受信装置は、ＲＦ帯のＯＦＤＭ信号を受信及び前処理してベースバンドＯＦＤＭ信号を生成するＲＦ処理部と、前記ベースバンドＯＦＤＭ信号に多重されたパイロット信号に基づき該ベースバンドＯＦＤＭ信号に重畳された歪み成分を補償する歪み補償部と、該歪み補償されたＯＦＤＭ信号をＯＦＤＭ復調する復調部とを備えるＯＦＤＭ受信装置において、前記歪み補償部は、前記ベースバンドＯＦＤＭ信号をフィルタに通してＯＦＤＭ主信号成分を抽出するＯＦＤＭ主信号成分抽出部と、前記ベースバンドＯＦＤＭ信号を離散フーリェ変換して周波数成分信号に変換し、そのうちの前記パイロット信号の周波数成分を取り出して該周波数成分を周波数０の位置に再配置すると共に、該再配置したパイロット信号成分をフーリェ逆変換して時間信号に変換し、既知のパイロット信号に基づき前記時間信号に変換したパイロット信号に重畳されている歪み成分を補償するための歪み補償信号を生成する歪み補償信号生成部と、前記抽出したＯＦＤＭ主信号成分に重畳された歪み成分を前記生成した歪み補償信号によりキャンセルする歪みキャンセル部とを備えるものである。本発明によれば、パイロット信号に重畳した歪み成分を効率よく検出してＯＦＤＭ主信号成分に重畳した歪み成分を時系列に一括補償できるため、歪み補償処理及び回路構成が簡単である。
【００１１】
本発明の第２の態様によるＯＦＤＭ受信装置は、ＲＦ帯のＯＦＤＭ信号を受信及び前処理してベースバンドＯＦＤＭ信号を生成するＲＦ処理部と、前記ベースバンドＯＦＤＭ信号に多重されたパイロット信号に基づき該ベースバンドＯＦＤＭ信号に重畳された歪み成分を補償する歪み補償部と、該歪み補償されたＯＦＤＭ信号をＯＦＤＭ復調する復調部とを備えるＯＦＤＭ受信装置において、前記歪み補償部は、前記ベースバンドＯＦＤＭ信号を離散フーリェ変換して周波数成分信号に変換するフーリェ変換部と、前記変換した周波数成分信号のうちのＯＦＤＭ主信号に係る部分を取り出して離散フーリェ逆変換により時間信号に変換するＯＦＤＭ主信号成分抽出部と、前記変換した周波数成分信号のうちのパ
イロット信号に係る部分を取り出して該パイロット信号成分を周波数０の位置に再配置すると共に、該再配置したパイロット信号成分をフーリェ逆変換により時間信号に変換し、既知のパイロット信号に基づき前記時間信号に変換したパイロット信号に重畳されている歪み成分を補償するための歪み補償信号を生成する歪み補償信号生成部と、前記抽出したＯＦＤＭ主信号成分に重畳された歪み成分を前記生成した歪み補償信号によりキャンセルする歪みキャンセル部とを備えるものである。本発明では、フィルタ回路を使用しないため、ＯＦＤＭ主信号成分とパイロット信号成分とを高い精度で分離できる。
【００１２】
本発明の第３の態様によるＯＦＤＭ受信装置は、ＲＦ帯のＯＦＤＭ信号を受信及び前処理してベースバンドＯＦＤＭ信号を生成するＲＦ処理部と、前記ベースバンドＯＦＤＭ信号に多重されたパイロット信号に基づき該ベースバンドＯＦＤＭ信号に重畳された歪み成分を補償する歪み補償部と、該歪み補償されたＯＦＤＭ信号をＯＦＤＭ復調する復調部とを備えるＯＦＤＭ受信装置において、前記歪み補償部は、前記ベースバンドＯＦＤＭ信号を第１のフィルタに通してＯＦＤＭ主信号成分を抽出するＯＦＤＭ主信号成分抽出部と、前記ベースバンドＯＦＤＭ信号を第２のフィルタに通してパイロット信号に係る成分を抽出し、該抽出したパイロット信号成分が周波数０の位置にくるまで該パイロット信号成分を周波数変換すると共に、既知のパイロット信号に基づき前記周波数変換したパイロット信号に重畳されている歪み成分を補償するための歪み補償信号を生成する歪み補償信号生成部と、前記抽出したＯＦＤＭ主信号成分に重畳された歪み成分を前記生成した歪み補償信号によりキャンセルする歪みキャンセル部とを備えるものである。本発明では、全ての信号処理を時間軸で行うため、回路構成が簡単である。
【００１３】
本発明の第４の態様によるＯＦＤＭ受信装置は、ＲＦ帯のＯＦＤＭ信号を受信及び前処理してベースバンドＯＦＤＭ信号を生成するＲＦ処理部と、前記ベースバンドＯＦＤＭ信号に多重されたパイロット信号に基づき該ベースバンドＯＦＤＭ信号に重畳された歪み成分を補償する歪み補償部と、該歪み補償されたＯＦＤＭ信号をＯＦＤＭ復調する復調部とを備えるＯＦＤＭ受信装置において、前記歪み補償部は、前記ベースバンドＯＦＤＭ信号を第１のフィルタに通してＯＦＤＭ主信号成分を抽出するＯＦＤＭ主信号成分抽出部と、前記ベースバンドＯＦＤＭ信号に含まれるパイロット信号成分が周波数０の位置にくるまで該ベースバンドＯＦＤＭ信号を周波数変換し、該周波数変換した信号を第２のフィルタに通してパイロット信号に係る成分を抽出すると共に、既知のパイロット信号に基づき前記抽出したパイロット信号に重畳されている歪み成分を補償するための歪み補償信号を生成する歪み補償信号生成部と、前記抽出したＯＦＤＭ主信号成分に重畳された歪み成分を前記生成した歪み補償信号によりキャンセルする歪みキャンセル部とを備えるものである。本発明では、先にパイロット信号成分をダウンコンバートするため、該パイロット信号成分の抽出を比較的簡単なＬＰＦで行える。
【００１４】
本発明の第５の態様によるＯＦＤＭ受信方法は、ＲＦ帯のＯＦＤＭ信号を受信及び前処理してベースバンドＯＦＤＭ信号を生成し、前記ベースバンドＯＦＤＭ信号に多重されたパイロット信号に基づき該ベースバンドＯＦＤＭ信号に重畳された歪み成分を補償し、該歪み補償されたＯＦＤＭ信号をＯＦＤＭ復調するＯＦＤＭ受信方法において、前記歪み補償部は、前記ベースバンドＯＦＤＭ信号をフィルタに通してＯＦＤＭ主信号成分を抽出し、前記ベースバンドＯＦＤＭ信号を離散フーリェ変換して周波数成分信号に変換し、そのうちの前記パイロット信号の周波数成分を取り出して該周波数成分を周波数０の位置に再配置すると共に、該再配置したパイロット信号成分をフーリェ逆変換して時間信号に変換し、既知のパイロット信号に基づき前記時間信号に変換したパイロット信号に重畳されている歪み成分を補償するための歪み補償信号を生成し、前記抽出したＯＦＤＭ主信号成分に重畳された歪み成分を前記生成した歪み補償信号によりキャンセルするものである。
【発明の効果】
【００１５】
以上述べた如く本発明によれば、簡単な構成により送受間の周波数偏差に基づく受信ＯＦＤＭ信号の歪みを有効にキャンセル可能なため、この種のＯＦＤＭ受信装置を小型かつ安価に提供できる。  
【発明を実施するための最良の形態】
【００１６】
以下、添付図面に従って本発明の複数の実施の形態を詳細に説明する。なお、全図を通して同一符号は同一又は相当部分を示すものとする。図１は実施の形態によるＯＦＤＭ送信装置のブロック図で、ＯＦＤＭ主信号（データ信号）にパイロット信号を付加して送信する場合を示している。なお、ＯＦＤＭ変調部１０とＲＦ増幅部２０とについての基本的な構成は上記図１０（Ａ）で述べたものと同様でよい。また、このＯＦＤＭ送信装置の構成は以下に述べる第１〜第４の実施の形態によるＯＦＤＭ受信装置の説明に共通して用いられるものである。
【００１７】
図１において、Ｎ個の送信データとＰ（例えば１）個のパイロットデータとからなる（Ｎ＋Ｐ）個のビット列をシンボルマッパ１１で（Ｎ＋Ｐ）個の複素シンボル列に変換して後、直並列変換器１２で並列信号に変換すると共に、離散フーリェ逆変換部（ＩＦＦＴ）１３で一括逆フーリェ逆変換し、こうして（Ｎ＋Ｐ）個のＯＤＦＭシンボル標本値を生成する。これらを並直列変換部１４で直列（時間）信号に変換して後、得られた複素ベースバンドＯＦＤＭ信号の実部に搬送波（ｆｃ）を掛け合わせＲＦ帯域ＯＦＤＭ信号を生成する。これをＲＦアンプ（ＲＦＡ）２４で増幅し、アンテナより送信する。
【００１８】
挿入図（ａ）に一例のパイロット信号配置を示す。ここでは、中心周波数ｆｃとするＯＦＤＭ主信号（データ信号）の部分から少なくとも１サンプル（基本周波数ｆ０分）以上離れた周波数ｆｐの位置にパイロット信号ＰＬを置いている。挿入図（ｂ）に他のパイロット信号配置例を示す。ここでは、パイロット信号ＰＬも含めた全帯域の中心周波数ｆｃの位置にパイロット信号成分ＰＬとガードバンドＧＢとを配置している。なお、ガードバンドＧＢは、ディジタルフィルタなどによる帯域分離を容易（確実）ならしめるためのものであり、必ずしもガードバンドＧＢを設けなくても良い。また、以下の各実施の形態の説明では挿入図（ａ）の周波数配置の場合を説明するが、他の周波数配置の場合も同様の考え方で処理できる。
【００１９】
図２は第１の実施の形態によるＯＦＤＭ受信装置のブロック図で、ＯＦＤＭ主信号成分（データ信号部分）に重畳した歪み成分を、受信パイロット信号と既知のパイロット信号とに基づき生成した歪み補償信号により補償する歪み補償部の第１の実施態様を示している。なお、ＲＦフロントエンド部３０とＯＦＤＭ復調部４０とについての基本的な構成は上記図１０（Ｂ）で述べたものと同様で良い。図において、５０Ａは第１の実施の形態による歪み補償部、５１はディジタルローパスフィルタ（ＬＰＦ）、５２は遅延回路、５３は高速離散フーリェ変換部（ＦＦＴ）、５４は０シフト部、５５は離散フーリェ逆変換部（ＩＦＦＴ）、５６は歪み補償信号生成部（１／α）、６０は乗算部である。
【００２０】
図３は第１の実施の形態によるＯＦＤＭ受信装置の動作説明図で、以下、図２，図３を参照して第１の実施の形態による歪み補償部５０Ａの動作を説明する。入力のベースバンドＯＦＤＭ信号｛図３（ａ）｝を２系統に分け、その一方をＬＰＦ５１に通してパイロット信号成分を除いたＯＦＤＭ主信号成分｛図３（ｂ）｝のみを抽出し、後述のパイロット信号処理で生じる遅延と処理時間を合わせるため、該抽出したＯＦＤＭ主信号成分を一時的に遅延回路５２に保持する。
【００２１】
ベースバンドＯＦＤＭ信号のもう一方は、ＦＦＴ５３により周波数成分信号に変換して後、パイロット信号成分とガードバンド成分｛図３（ｃ）｝とを取り出し、これらを該パイロット信号成分の周波数が０Ｈｚとなる様に０シフト（再配置）｛（図３（ｄ）｝する
。また、これに伴い、ガードバンド部よりも上の範囲の各周波数成分には「０」を挿入することで、ＩＦＦＴ処理のポイント数を次段のＩＦＦＴ５５における所要のＩＦＦＴポイント数に合わせる。そして、これをＩＦＦＴ５５によりフーリェ逆変換するとパイロット信号ＰＬについての時間信号（ＤＣ信号）｛図３（ｅ）｝が得られる。
【００２２】
このパイロット信号ＰＬは周波数偏差に基づく他の全サブキャリアからのキャリア間干渉（ＩＣＩ）を略一様に受けており、逆に他の各サブキャリもパイロット信号を含む残りの他の全サブキャリアからのキャリア間干渉を略一様に受けている。そこで、歪み補償信号生成部５６では既知のパイロット信号レベルに基づいて受信パイロット信号の歪み成分αを求め、例えばその逆数（１／α）をＯＦＤＭ主信号成分に乗算することでＯＦＤＭ主信号成分の歪み成分を除去する。
【００２３】
図４は第２の実施の形態によるＯＦＤＭ受信装置のブロック図で、本発明による歪み補償部の第２の実施態様を示している。図において、５０Ｂは第２の実施の形態による歪み補償部、５７は離散フーリェ変換部（ＦＦＴ）、５８は０挿入部、５５ａ，５５ｂは離散フーリェ逆変換部（ＩＦＦＴ）、５４は０シフト部、５６は歪み補償信号生成部（１／α）、６０は乗算部である。
【００２４】
図５は第２の実施の形態によるＯＦＤＭ受信装置の動作説明図で、以下、図４，図５を参照して第２の実施の形態による歪み補償部５０Ｂの動作を説明する。入力のベースバンドＯＦＤＭ信号｛図５（ａ）｝をＦＦＴ５７により周波数成分信号に変換し、その一方よりＯＦＤＭ主信号成分｛図５（ｂ）｝を取り出すと共に、上位のパイロット信号成分の周波数位置に「０」を挿入し、ＩＦＦＴ５５ａにより時間軸のＯＦＤＭ主信号｛図５（ｃ）｝に変換する。
【００２５】
ＦＦＴ５７のもう一方からは、パイロット信号成分とガードバンド成分｛図５（ｄ）｝とを取り出し、これらを該パイロット信号成分の周波数が０Ｈｚとなる様に０シフト｛（図５（ｅ）｝すると共に、ガードバンド成分より上の範囲の周波数成分には「０」を挿入することで、ＩＦＦＴ処理のポイント数を次段のＩＦＦＴ５５ｂにおける所要のＩＦＦＴポイント数に合わせる。更に、これをＩＦＦＴ５５ｂで離散フーリェ逆変換すると、キャリア間干渉歪みを受けた受信パイロット信号ＰＬについての時間信号（ＤＣレベル）｛図５（ｆ）｝が得られる。
【００２６】
図６は第３の実施の形態によるＯＦＤＭ受信装置のブロック図で、本発明による歪み補償部の第３の実施態様を示している。図において、５０Ｃは第３の実施の形態による歪み補償部、５１はディジタルローパスフィルタ（ＬＰＦ）、５２は遅延回路、６１はディジタルバンドパスフィルタ（ＢＰＦ）、６２は周波数のディジタルダウンコンバータ（ＤＤＣ）、５６は歪み補償信号生成部（１／α）、６０は乗算部である。
【００２７】
図７は第３の実施の形態によるＯＦＤＭ受信装置の動作説明図で、以下、図６，図７を参照して第３の実施の形態による歪み補償部５０Ｃの動作を説明する。入力のベースバンドＯＦＤＭ信号｛図７（ａ）｝を２系統に分け、その一方をＬＰＦ５１に通してパイロット信号成分を除いたＯＦＤＭ主信号成分｛図７（ｂ）｝のみを抽出し、後述のパイロット信号処理で生じる遅延と処理時間を合わせるため、該抽出したＯＦＤＭ主信号成分を一時的に遅延回路５２に保持する。
【００２８】
ベースバンドＯＦＤＭ信号のもう一方は、ＢＰＦ６１に通してパイロット信号成分とガードバンド成分｛図７（ｃ）｝とからなる部分のみを抽出し、これらを該パイロット信号成分の周波数が０Ｈｚとなる様にＤＤＣ６２によりダウンコンバート｛図７（ｄ）｝する。また、これに伴い、ガードバンド成分より上の範囲の各周波数成分には「０」を挿入す
る。更に、この信号を時間軸で見ると１シンボル区間に渡って一定のＤＣレベルを有するような受信パイロット信号ＰＬについての時間信号｛図７（ｅ）｝が得られる。
【００２９】
この受信パイロット信号ＰＬは周波数偏差に基づく他の全サブキャリアからのキャリア間干渉（ＩＣＩ）を略一様に受けており、逆に他の各サブキャリもパイロット信号を含む残りの他の全サブキャリアからのキャリア間干渉を略一様に受けている。そこで、歪み補償信号生成部５６では既知のパイロット信号レベルに基づいて受信パイロット信号の歪み成分αを求め、例えばその逆数（１／α）を受信ＯＦＤＭ主信号成分に乗算することで該ＯＦＤＭ主信号成分に重畳された歪み成分を除去する。
【００３０】
図８は第４の実施の形態によるＯＦＤＭ受信装置のブロック図で、本発明による歪み補償部の第４の実施態様を示している。図において、５０Ｄは第４の実施の形態による歪み補償部、５１ａはディジタルローパスフィルタ（ＬＰＦ）、５２は遅延回路、６２は周波数のディジタルダウンコンバータ（ＤＤＣ）、５１ｂはディジタルローパスフィルタ（ＬＰＦ）、５６は歪み補償信号生成部（１／α）、６０は乗算部である。
【００３１】
図９は第４の実施の形態によるＯＦＤＭ受信装置の動作説明図で、以下、図８，図９を参照して第４の実施の形態による歪み補償部５０Ｄの動作を説明する。入力のベースバンドＯＦＤＭ信号｛図９（ａ）｝を２系統に分け、その一方をＬＰＦ５１ａに通してパイロット信号成分を除いたＯＦＤＭ主信号成分｛図９（ｂ）｝のみを抽出し、遅延回路５２に保持する。
【００３２】
ベースバンドＯＦＤＭ信号のもう一方については、まずパイロット信号成分の周波数が０Ｈｚとなる様にＤＤＣ６２によりダウンコンバート｛図９（ｃ）｝すると共に、これらをディジタルＬＰＦ５１ｂに通してパイロット信号成分とガードバンド成分とを抽出する。この信号を時間軸で見ると、１シンボル区間に渡って一定のＤＣレベルを有するような受信パイロット信号ＰＬについての時間信号｛図９（ｄ）｝が得られ、この受信パイロット信号ＰＬは周波数偏差に基づく他の全サブキャリアからのキャリア間干渉（ＩＣＩ）を略一様に受けている。そこで、歪み補償信号生成部５６では既知のパイロット信号レベルに基づいて受信パイロット信号の歪み成分αを求め、例えばその逆数（１／α）を受信ＯＦＤＭ主信号成分に乗算することで該ＯＦＤＭ主信号成分に重畳された歪み成分を除去する。
【００３３】
なお、上記本発明の複数の実施の形態を述べたが、本発明思想を逸脱しない範囲内で各部の構成、制御、処理及びこれらの組合せの様々な変更が行えることは言うまでも無い。
【図面の簡単な説明】
【００３４】
【図１】実施の形態によるＯＦＤＭ送信装置のブロック図である。
【図２】第１の実施の形態によるＯＦＤＭ受信装置のブロック図である。
【図３】第１の実施の形態によるＯＦＤＭ受信装置の動作説明図である。
【図４】第２の実施の形態によるＯＦＤＭ受信装置のブロック図である。
【図５】第２の実施の形態によるＯＦＤＭ受信装置の動作説明図である。
【図６】第３の実施の形態によるＯＦＤＭ受信装置のブロック図である。
【図７】第３の実施の形態によるＯＦＤＭ受信装置の動作説明図である。
【図８】第４の実施の形態によるＯＦＤＭ受信装置のブロック図である。
【図９】第４の実施の形態によるＯＦＤＭ受信装置の動作説明図である。
【図１０】従来技術を説明する図である。
【符号の説明】
【００３５】
１０  ＯＦＤＭ変調部
２０  ＲＦ増幅部（ＲＦＡ）
３０  ＲＦフロントエンド部（ＲＦＦＥ）
４０  ＯＦＭ復調部
５０  歪み補償部
５４  ０シフト部
５６  歪み補償信号生成部
５８  ０挿入部
６０  乗算部
６２  ディジタルダウンコンバータ（ＤＤＣ）
【図１】
0004930262.tif 000002
【図２】
0004930262.tif 000003
【図３】
0004930262.tif 000004
【図４】
0004930262.tif 000005
【図５】
0004930262.tif 000006
【図６】
0004930262.tif 000007
【図７】
0004930262.tif 000008
【図８】
0004930262.tif 000009
【図９】
0004930262.tif 000010
【図１０】
0004930262.tif 000011